(57)【要約】【課題】  天然物由来の安全な成分で構成され、より効果的に動物の免疫力を高め、下痢を防止し、健康状態を向上させるための飼料配合剤及びそれを配合した飼料を提供する。【解決手段】  生薬と微生物の死菌体とを有効成分とすることを特徴とする飼料配合剤であって、好ましくは、さらに、マンノース、マンノオリゴ糖及び生菌剤からなる群から選ばれる１種又は２種以上を含むことを特徴とする前記の飼料配合剤であり、また、好ましくは、マンノース又はマンノオリゴ糖が、マンナン分解物であるものである前記の飼料配合剤。【選択図】  なし【特許請求の範囲】
【請求項１】
生薬と微生物の死菌体とを有効成分とすることを特徴とする飼料配合剤。
【請求項２】
さらに、マンノース、マンノオリゴ糖及び生菌剤からなる群から選ばれる１種又は２種以上を含むことを特徴とする請求項１記載の飼料配合剤。
【請求項３】
マンノース又はマンノオリゴ糖が、マンナン分解物であることを特徴とする請求項２記載の飼料配合剤。
【請求項４】
生菌剤が、乳酸産性菌であることを特徴とする請求項２又は３記載の飼料配合剤。
【請求項５】
乳酸産生菌が、有胞子性乳酸菌であることを特徴とする請求項４記載の飼料配合剤。
【請求項６】
生薬が、枸杞葉、麦芽、枇杷葉、人参、大棗、山薬、黄精、金銀花、蒲公英、南瓜子、車前子、柿の葉、杜仲の葉、山梔子、エキナケア及びハコベからなる群から選ばれる１又は２以上の生薬であることを特徴とする請求項１〜５のいずれかに記載の飼料配合剤。
【請求項７】
微生物の死菌体が、酵母細胞破砕物又は乳酸菌死菌体であることを特徴とする請求項１〜６のいずれかに記載の飼料配合剤。
【請求項８】
請求項１〜７のいずれかに記載の飼料配合剤を配合したことを特徴とする動物用飼料。
【発明の詳細な説明】
【技術分野】
【０００１】
本発明は、動物飼料用の飼料配合剤に関するものである。
【背景技術】
【０００２】
鶏、豚、羊、牛などの家畜は、幼少期には病気に対する抵抗力が弱く、大腸菌やサルモネラ菌などの有害細菌あるいは病原性ウィルスなどに感染・発病しやすいことが知られている。ひとたび発病すると成長が停滞するうえ、体力や抵抗力がさらに低下して他の感染症にもかかりやすくなるという問題がある。また、養殖魚等の魚介類においても、細菌やウィルスなど病原性微生物に感染すれば成長が停滞し、斃死率が増加するという問題がある。
【０００３】
一方、近年の畜産業では、家畜の生産性を高めより高い経済効果を得るための工夫がなされてきた。たとえば、面積あたりの飼養頭数を多くすることによって生産性を高めようとしてきたが、逆に過密飼育によるストレスが家畜の体力や抵抗力を低下させ生産性に悪影響を及ぼしていると言われている。さらに、過密飼育の畜舎内でひとたび感染症が発生すれば、それが畜舎内全体に蔓延してさらに生産性を悪化させるという問題がある。これに対して家畜の病気予防と成長促進を目的として抗生物質や抗菌剤などの薬剤が飼料に混ぜて給与されるようになったが、耐性菌出現の問題、あるいは、薬剤漬けで生産された畜産物の安全性の問題が指摘されるようになり、抗生物質などの薬剤に代わる安全な資材が求められている。
【０００４】
このような要望に応えるものとして天然物に由来する添加物などが提案されている。具体的には、枸杞葉、麦芽、枇杷葉、人参、大棗、山薬、黄精、金銀花、蒲公英、または、ハコベを構成成分とする豚の肉質向上と生育促進用飼料が知られている（例えば、特許文献１参照）。また、シュガー系フレーバーと甘草、ステビア抽出物からなる嗜好性向上と下痢軽減を目的とした家畜用飼料添加剤が知られている（例えば、特許文献２参照）。さらに、９種類のハーブ類、酵母、乳酸菌、および有機酸を含有する豚用飼料添加剤が知られている（例えば、特許文献３参照）。あるいは、ハーブと酵母細胞壁、生菌剤、有機酸からなる動物用飼料添加剤が知られている（例えば、特許文献４参照）。
【特許文献１】特開２００４−２２２５４７号公報
【特許文献２】特開２００１−９５５０２号公報
【特許文献３】特開２００４−４９１７４号公報
【特許文献４】特開２００２−５８４３４号広報
【発明の開示】
【発明が解決しようとする課題】
【０００５】
しかしながら、従来の技術では効果が十分に発揮されるには至っていなかった。
【０００６】
本発明は、天然物由来の安全な成分で構成され、より効果的に動物の免疫力を高め、下痢を防止し、健康状態を向上させるための飼料配合剤及びそれを配合した飼料を提供することを目的とするものである。
【課題を解決するための手段】
【０００７】
本発明者らは、このような課題を解決するために、鋭意検討した結果、生薬および微生物の死菌体を必須構成成分とし、さらに、マンノース、マンノオリゴ糖または生菌剤から選ばれる１種もしくは２種以上の成分を配合した飼料を動物に与えることによって動物の免疫力が高まり、健康状態の向上し、さらにこれらの飼料配合剤を家畜に与えた場合には家畜の場合には、家畜の生産性が向上することを見出し、本発明に至った。
【０００８】
すなわち、本発明の第一は、生薬と微生物の死菌体とを有効成分とすることを特徴とする飼料配合剤を要旨とするものであり、好ましくは、さらに、マンノース、マンノオリゴ糖及び生菌剤からなる群から選ばれる１種又は２種以上を含むことを特徴とする前記の飼料配合剤であり、また、好ましくは、マンノース又はマンノオリゴ糖が、マンナン分解物であるものであり、また、好ましくは、生菌剤が、乳酸産性菌であるものであり、また、好ましくは、乳酸産生菌が、有胞子性乳酸菌であるものであり、また、好ましくは、生薬が、枸杞葉、麦芽、枇杷葉、人参、大棗、山薬、黄精、金銀花、蒲公英、南瓜子、車前子、柿の葉、杜仲の葉、山梔子、エキナケア及びハコベからなる群から選ばれる１又は２以上の生薬であるものであり、また、微生物の死菌体が、酵母細胞破砕物又は乳酸菌死菌体であるものである。
【０００９】
本発明の第二は、上記した飼料配合剤を配合したしたことを特徴とする動物用飼料を要旨とするものである。
【発明の効果】
【００１０】
本発明によれば、天然物由来の生薬成分と微生物の死菌体が、相乗的に動物の免疫力を高め、健康状態を向上させ、さらに成長を促進するなどの効果を十分に発揮するものである。特に仔牛、子豚、幼雛などの幼少期の家畜・家禽に適用した場合に有効である。
【発明を実施するための最良の形態】
【００１１】
以下、本発明を詳細に説明する。まず、本発明に用いる生薬について説明する。枸杞葉とは、ナス科Solanaceae枸杞Lycium ch-inenseMiller（クコ）の葉を乾燥したものである。麦芽とは、イネ科Gramine-ae大麦Hordeum vulgare Linne var. vulgare（オオムギ）の発芽した種子を乾燥したものである。枇杷葉とは、バラ科Rosaceae枇杷Eriobotrya japonica L-indleyの葉を乾燥したものである。また、人参とは、ウコギ科Araliaceae人参Panax ginseng C.A.Meyer（オタネニンジン）の根を乾燥したものをいう。大棗とは、クロウメモドキ科Rhamnaceae棗Zizyphus jujuba Miller var. ine-rmis Rehder（ナツメ）の果実を乾燥したものをいう。山薬とは、ヤマノイモ科 Dioscoreaceae薯蕷Dioscorea japonicaThunberg(ヤマノイモ)又はDioscorea batatasDecaisne（ナガイモ）の周皮を除いた根茎(担根体)を乾燥したものをいう。金銀花とは、スイカズラ科Caprifoliaceae忍冬Lonicera japonica Thunb-erg（スイカズラ）の花蕾を乾燥したものをいう。さらに、黄精とは、ユリ科Liliaceae黄精Polygonatum falcatum A.Gray（ナルコユリ）Polygonat-um sibiricum Redoute（カギクルマバナルコユリ）の根茎を蒸したものである。蒲公英とは、キク科Compositae蒲公英Taraxacum officinale Weberの根を乾燥したものである。南瓜子とは、ウリ科のカボチャの種子である。車前子とは、オオバコ科PlantaginaceaeオオバコPlantago asiatica Linneの種子である。柿の葉とは、カキノキ科EbenaceaeカキノキDiospyros kakiの葉であり、杜仲の葉とは、トチュウの木の葉である。山梔子とは、アカネ科RubiaceaeのクチナシGardenia jasminoides Ellisの果実であり、エキナケアとは、キク科の多年草、Echinacea angustifolia、Echinacea purpura、Echinacea pallidaなどの根あるいは根茎を乾燥したものである。また、ハコベとは、ナデシコ科Caryophyllaceae繁縷Stella-ria neglecta Weiheの地上部を乾燥したものである。
【００１２】
これらの生薬は一般に人あるいは家畜用の漢方薬として使用されているものであり、滋養、強壮、健胃、整腸、解毒、清熱等の効果により、動物の健康状態を向上させる働きを有している。
【００１３】
これらの生薬については、市販のものを好適に用いることができる。これらの生薬は、数mm〜1cm程度の大きさに裁断し、あるいは、数mm以下の大きさに粉砕して使用すればよい。
【００１４】
これらの生薬の中で、特に枸杞葉、麦芽、枇杷葉、人参、大棗、山薬、黄精、蒲公英、金銀花、エキナケア、および、ハコベから選ばれた生薬の組み合わせが好ましい。その場合の混合割合は、１例としては、枸杞葉５〜３０質量部、麦芽５〜３０質量部、人参５〜３０質量部、大棗５〜３０質量部、エキナケア５〜３０質量部の組み合わせ、あるいは、人参５〜３０質量部、大棗５〜３０質量部、山薬５〜３０質量部、蒲公英５〜３０質量部、およびハコベ５〜３０質量部の組み合わせが挙げられる。
【００１５】
次に、本発明で用いられる微生物の死菌体について説明する。微生物の死菌体とは、動物に対して有害性を示さない細菌、酵母等の微生物を滅菌、殺菌、破砕、自己消化、酵素分解等の方法によって死滅させたものであり、酵母細胞破砕物や乳酸菌死菌体などを使用することができる。一例として、酵母の場合は、アルコールの醸造、パンの製造などに用いられる酵母（Saccromyces cerevisiae）、あるいはトルラ酵母(Candida utilis)等の酵母を自己消化、酵素処理、超音波処理、圧力などの手段によって細胞を破砕した酵母細胞破砕物を使用することができる。また、乳酸菌死菌体とは、乳酸球菌（エンテロコッカス属）、あるいは、乳酸桿菌（ラクトバシラス属）などの菌体を加熱等の方法により殺菌したものが使用できる。これらの死菌体は家畜の腸管免疫系を刺激して免疫を賦活させて動物の抗病性を高めることが知られている。
【００１６】
続いて、マンノース及びマンノオリゴ糖について説明する。マンノース及びマンノオリゴ糖は、天然由来のマンナン含有物を酸あるいは酵素によって加水分解することによって得られるものであり、精製物であっても粗精製物であっても構わない。天然由来のマンナン含有物としては、例えば、グアガム、ローカスビーンガム、パーム核、コプラミールなどの植物由来の多糖類のほか、酵母細胞壁などの微生物由来の多糖類などが使用できる。これらのマンナン含有物から酵素処理によってマンノースおよびマンノオリゴ糖を得るには、マンナナーゼ、マンノシダーゼ、グルコシダーゼ、ガラクトシダーゼ、ヘミセルラーゼなどの酵素を作用させる公知の方法を用いればよい。
【００１７】
一方、本発明で用いられる生菌剤とは動物の飼料として摂取させ、動物の腸内で増殖させることによって腸内細菌叢を好ましい状態に維持させることができる有用腸内微生物のことである。一例として、ラクトバチルス  アシドフィルス、ラクトバチルス  サリバリウス、ラクトバチルス  カゼイなどのラクトバチルス（Lactobacillus）属、ビフィドバクテリウム  サーモフィラム、ビフィドバクテリウム  シュードロンガム、ビフィドバクテリウム  ロンガムなど一般にビフィズス菌といわれているビフィドバクテリウム（Bifidobacterium）属、エンテロコッカス  フェーカリス、エンテロコッカス  フェシウムなどのエンテロコッカス（Enterococcus）属、ストレプトコッカス  サーモフィルス、ストレプトコッカス  ミュータンスどのストレプトコッカス（Streptococcus）属、ペディオコッカス（Pediococcus）属、ロイコノストック（Leuconostoc）属、ラクトコッカス（Lactococcus）など、一般に乳酸菌といわれる生菌、あるいは、クロストリジウム  ブチリカムなどの酪酸菌（Clostridium属）、バチルス  サブチルス（枯草菌）、バチルス  セレウス、バチルス  バディウス、バチルス  コアグランスなどのバチルス（Bacillus）属、など一般に生菌剤として動物の飼料に用いられている菌体を使用することができる。
【００１８】
これらの生菌剤の中でも、ラクトバチルス属等の乳酸酸生菌であるものが好ましく、さらに、有胞子性乳酸菌として知られているバチルス  コアグランス（Bacillus coagulans）が、特に好ましく使用することができる。有胞子性乳酸菌は、胞子の状態で存在するときには耐熱性、耐酸性の性質を有しているため、飼料の製造工程中での加熱劣化や、家畜体内の胃酸による劣化が少なく、家畜の腸内でより高い効果を発揮することができる。
【００１９】
本発明の飼料配合剤は、上記した成分を所定量混合することによって得られるものである。混合する方法としては、どのような混合方法を採用してもよい。
【００２０】
本発明の飼料配合剤１ｇ中に含まれる各成分の含有量は以下のとおりである。
【００２１】
生薬は、０．０５〜０．９９ｇが好ましく、０．０８〜０．９ｇがさらに好ましく、０．１〜０．５ｇが最も好ましい。微生物の死菌体は、０．０５〜０．９９ｇが好ましく、０．０８〜０．９ｇがさらに好ましく、０．１〜０．５ｇが最も好ましい。マンノース又はマンノオリゴ糖は、０．００１〜０．９ｇが好ましく、０．０２〜０．８ｇがさらに好ましく、０．０５〜０．５ｇが最も好ましい。生菌は、１．０×１０４〜１．０×１０１２cells／ｇが好ましく、１．０×１０５〜１．０×１０１０cells／ｇがさらに好ましく、１．０×１０６〜１．０×１０９cells／ｇが最も好ましい。
【００２２】
また、本発明の飼料配合剤には、他のオリゴ糖、発酵性有機酸、水溶性食物繊維、デンプン、不溶性食物繊維などのプレバイオティクスを添加してもよい。さらに、必要に応じて、安定剤や賦形剤が含まれても構わない。安定剤としては、無水ケイ酸などが挙げられ、賦形剤としては、ふすま、小麦粉、コーンスターチ、コーングルテンフィード、デキストリン、米糠などが挙げられる。
【００２３】
本発明の第二の動物用飼料は、上記の飼料配合剤を配合したものである。配合割合は、０．００５〜５質量％が好ましく、０．０２〜２質量％がさらに好ましく、０．１〜２重量％が最も好ましい。
【実施例】
【００２４】
以下、実施例により本発明を具体的に説明する。なお、本発明は実施例に限定されるものではない。
【００２５】
実施例１
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、飼料用酵素処理酵母（商品名「ニュートリセルモス」）０．２ｇと、小麦粉０．６ｇを混合し、本発明の飼料配合剤を作製した。
【００２６】
実施例２
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、乳酸球菌（エンテロコッカ  スフェカリス）死菌０．２ｇと、小麦粉０．６ｇを混合し、本発明の飼料配合剤を作製した。
【００２７】
実施例３
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、飼料用酵素処理酵母（商品名「ニュートリセルモス」）０．２ｇと、酵素処理コプラミール由来マンノース（商品名「コッコエース」、ユニチカ株式会社製）０．２ｇと、小麦粉０．４ｇを混合し、本発明の飼料配合剤を作製した。
【００２８】
実施例４
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、乳酸球菌（エンテロコッカ  スフェカリス）死菌０．２ｇと、酵素処理コプラミール由来マンノース（商品名「コッコエース」、ユニチカ株式会社製）０．２ｇと、小麦粉０．４ｇを混合し、本発明の飼料配合剤を作製した。
【００２９】
実施例５
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、飼料用酵素処理酵母（商品名「ニュートリセルモス」）０．２ｇと、有胞子性乳酸菌バチルス  コアグランス（商品名「ラクリス−１０」、三共ライフテック製）１×１０８cells（０．１ｇ相当）と、小麦粉０．５ｇを混合し、本発明の飼料配合剤を作製した。
【００３０】
実施例６
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、乳酸球菌（エンテロコッカ  スフェカリス）死菌０．２ｇと、飼料用生菌剤（Ｂ．サーモフィラス、Ｅ．フェシウム、Ｌ．アシドフィルス配合、商品名「Ｌ・Ｅ・Ｂミックス」、森永乳業製）２×１０９cells（０．１ｇ相当）と、小麦粉０．５ｇを混合し、本発明の飼料配合剤を作製した。
【００３１】
実施例７
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、飼料用酵素処理酵母（商品名「ニュートリセルモス」）０．２ｇと、酵素処理コプラミール由来マンノース（商品名「コッコエース」、ユニチカ株式会社製）０．２ｇと、有胞子性乳酸菌バチルス  コアグランス（商品名「ラクリス−１０」、三共ライフテック製）１×１０８cells（０．１ｇ相当）と、小麦粉０．３ｇを混合し、本発明の飼料配合剤を作製した。
【００３２】
実施例８
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、乳酸球菌（エンテロコッカ  スフェカリス）死菌０．２ｇと、酵素処理コプラミール由来マンノース（商品名「コッコエース」、ユニチカ株式会社製）０．２ｇと、飼料用生菌剤（Ｂ．サーモフィラス、Ｅ．フェシウム、Ｌ．アシドフィルス配合、商品名「Ｌ・Ｅ・Ｂミックス」、森永乳業製）２×１０９cells（０．１ｇ相当）と、小麦粉０．３ｇを混合し、本発明の飼料配合剤を作製した。
【００３３】
実施例９
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、飼料用酵素処理酵母（商品名「ニュートリセルモス」）０．２ｇと、酵母細胞由来マンノース（商品名「バイオモス」、オルテック社製）０．２ｇと、小麦粉０．４ｇを混合し、本発明の飼料配合剤を作製した。
【００３４】
実施例１０
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、乳酸球菌（エンテロコッカ  スフェカリス）死菌０．２ｇと、酵母細胞由来マンノース（商品名「バイオモス」、オルテック社製）０．２ｇと、小麦粉０．４ｇを混合し、本発明の飼料配合剤を作製した。
【００３５】
比較例１
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、酵素処理コプラミール由来マンノース（商品名「コッコエース」、ユニチカ株式会社製）０．２ｇと、小麦粉０．６ｇを混合し、飼料配合剤を作製した。
【００３６】
比較例２
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、酵素処理コプラミール由来マンノース（商品名「コッコエース」、ユニチカ株式会社製）０．２ｇと、小麦粉０．６ｇを混合し、飼料配合剤を作製した。
【００３７】
比較例３
枸杞葉２０質量部、麦芽２０質量部、山薬１５質量部、人参１０質量部、大棗１０質量部、枇杷葉５質量部、黄精５質量部、金銀花５質量部、蒲公英５質量部、および、ハコベ５質量部の割合で混合した生薬０．２ｇと、有胞子性乳酸菌バチルス  コアグランス（商品名「ラクリス−１０」、三共ライフテック製）１×１０８cells（０．１ｇ相当）と、小麦粉０．７ｇを混合し、本発明の飼料配合剤を作製した。
【００３８】
比較例４
枸杞葉２０質量部、麦芽２０質量部、蒲公英１５質量部、山梔子１５質量部、枇杷葉１０質量部、人参１０質量部、エキナケア５質量部、および、柿の葉５質量部の割合で混合した生薬０．２ｇと、飼料用生菌剤（Ｂ．サーモフィラス、Ｅ．フェシウム、Ｌ．アシドフィルス配合、商品名「Ｌ・Ｅ・Ｂミックス」、森永乳業製）２×１０９cells（０．１ｇ相当）と、小麦粉０．７ｇを混合し、本発明の飼料配合剤を作製した。
【００３９】
比較例５
飼料用酵素処理酵母（商品名「ニュートリセルモス」）０．２ｇと、酵素処理コプラミール由来マンノース（商品名「コッコエース」、ユニチカ株式会社製）０．２ｇと、小麦粉０．６ｇを混合し、本発明の飼料配合剤を作製した。
【００４０】
比較例６
乳酸球菌（エンテロコッカ  スフェカリス）死菌０．２ｇと、酵素処理コプラミール由来マンノース（商品名「コッコエース」、ユニチカ株式会社製）０．２ｇと、小麦粉０．６ｇを混合し、本発明の飼料配合剤を作製した。
【００４１】
比較例７
飼料用酵素処理酵母（商品名「ニュートリセルモス」）０．２ｇと、有胞子性乳酸菌バチルス  コアグランス（商品名「ラクリス−１０」、三共ライフテック製）１×１０８cells（０．１ｇ相当）と、小麦粉０．７ｇを混合し、本発明の飼料配合剤を作製した。
【００４２】
比較例８
乳酸球菌（エンテロコッカ  スフェカリス）死菌０．２ｇと、飼料用生菌剤（Ｂ．サーモフィラス、Ｅ．フェシウム、Ｌ．アシドフィルス配合、商品名「Ｌ・Ｅ・Ｂミックス」、森永乳業製）２×１０９cells（０．１ｇ相当）と、小麦粉０．７ｇを混合し、本発明の飼料配合剤を作製した。
【００４３】
試験例１
実施例１〜１０、比較例１〜８で作製した飼料配合剤を市販の子豚用人工乳に添加し配合飼料を作製した。飼料配合剤の添加率は０．５質量％とし、子豚用人工乳は子豚の生育ステージに応じて変更した。１群３０頭の子豚に生後５日齢から作製した飼料を給与して７０日齢まで飼育した。飼料配合剤を添加せずに市販の子豚用人工乳のみを給与して同様に飼育した（比較例９）。飼育期間中の子豚の糞便状態を毎日観察し、平均下痢日数を表１に示した。
【００４４】
【表１】
2006333843.tif 000002
以上の結果、比較例で作製した飼料配合剤を与えて飼育した子豚に比べれば、実施例で作製した飼料配合剤を与えて飼育した子豚の方が下痢発生日数は少なく、すなわち、下痢症に対する抵抗性が高まり、健康状態が向上したことが示された。
【００４５】
また、上記試験例１で飼育した子豚のうち、実施例１、３、５、７および比較例１、３、５、７、９の子豚の血液を５日齢、１０日齢、２０日齢に採取し、血液中マクロファージを分離してマクロファージのラテックスビーズ貪食能を調べた（参考文献：J.Trad.Med, 20, 30-37, 2003）。ラテックスビーズを３個以上貪食したマクロファージ細胞の割合を表２に示した。
【００４６】
【表２】
2006333843.tif 000003
以上の結果、比較例で作製した飼料配合剤を与えて飼育した子豚に比べれば、実施例で作製した飼料配合剤を与えて飼育した子豚の方がマクロファージの貪食能が亢進されており、すなわち、免疫能が賦活化されたことが示された。
【００４７】
さらに、上記試験１で飼育した子豚の飼育期間中の健康状態を目視観察した結果を表３に示した。
【００４８】
【表３】
2006333843.tif 000004
以上の結果より、比較例で作製した飼料配合剤を与えて飼育した子豚に比べ、実施例で作製した飼料配合剤を与えて飼育した子豚の方が、元気で活発に運動し、肌の色艶が良く、また、腹の張り具合も良好であり、全体的に健康状態が良好であることがわかった。
【００４９】
また、上記試験例１で飼育した豚の飼育期間中のうち出生時、２１日齢、７０日齢の平均体重を比較した結果を表４に示した。
【００５０】
【表４】
2006333843.tif 000005
以上の結果より、比較例で作製した飼料配合剤を与えて飼育した子豚に比べ、実施例で作製した飼料配合剤を与えて飼育した子豚の方が２１日齢体重、７０日齢体重ともに大きく、すなわち、子豚の健康状態、免疫能が向上した結果、成長が促進されたことが示された。
【００５１】
試験例２
実施例１、３、５、７，９および、比較例１，３，５，７で作製した飼料配合剤を市販のブロイラー用飼料に添加し配合飼料を作製した。飼料配合剤の添加率は０．２％とし、飼料は鶏の生育ステージに応じて変更した。１群５０羽のブロイラーひなに作製した飼料を給与し、餌付けから出荷（５３日齢）まで飼育した。また、比較として飼料配合剤を添加せずに市販のブロイラー用飼料のみを給与して同様に飼育した（比較例１０）。
【００５２】
上記、試験例２で飼育したブロイラーの出荷時の体重と飼料要求率を表５に示した。
【００５３】
【表５】
2006333843.tif 000006
以上の結果から、実施例で作製した飼料配合剤を添加した飼料を給与されたブロイラーは、比較例で作製した飼料配合剤を添加した飼料、または、市販の飼料のみで飼育した場合に比べて、出荷時体重が大きく、かつ飼料要求率も改善されていたことから、鶏の健康状態が向上し、成長が早まったことがわかった。
【００５４】
上記の結果、本発明の飼料配合剤を動物に給与することによって、動物の免疫力が高まり、健康状態が向上し、さらに成長が促進されることが分かった。